(57)【要約】【課題】クロック発生回路を内蔵したＩＣからクロック信号ラインを介して他のＩＣにクロック信号を供給する構成の無線機器において、クロック信号ラインから輻射されるクロック信号の高調波成分を低減させて、無線機器の特性劣化を解消する。【解決手段】クロック発生回路１１を内蔵したＲＦ−ＩＣ（無線回路部集積回路）１０のクロック出力端子１３からＢＢ−ＩＣ（ベースバンド処理集積回路）２０のクロック入力端子２１へクロック信号を供給するクロック信号ライン５０にチップコンデンサ６０の一端を接続し、チップコンデンサ６０の他端をグランド（ＧＮＤ）に接続する。チップコンデンサ６０の自己共振機能を利用し、クロック信号の高調波成分の中で無線機器の動作に悪影響を与える周波数帯の高調波成分を大きく減衰させることができる。【選択図】　　図１
2004104281.tif 000002
【特許請求の範囲】
【請求項１】
クロック発生回路を内蔵したＩＣから他のＩＣへクロックを供給するためのクロック信号ラインを備えた無線機器であって、
前記クロック信号ラインと基準電位ラインとの間にコンデンサが接続されていることを特徴とする無線機器。
【請求項２】
請求項１記載の無線機器であって、
前記コンデンサはチップコンデンサであることを特徴とする無線機器。
【請求項３】
請求項１又は２に記載の無線機器であって、
前記コンデンサの容量は、前記クロック信号の高調波成分の中で少なくとも無線信号の受信に影響を与える周波数帯域の高調波成分を減衰させるよう設定されていることを特徴とする無線機器。
【請求項４】
請求項１又は２に記載の無線機器であって、
前記コンデンサの容量は、前記クロック信号の高調波成分の中で少なくとも無線チャンネルの使用周波数帯域内の高調波成分を減衰させるよう設定されていることを特徴とする無線機器。
【請求項５】
請求項１又は２に記載の無線機器であって、
前記コンデンサの容量は、前記クロック信号の高調波成分の中で少なくとも中間周波数帯域内の高調波成分を減衰させるよう設定されていることを特徴とする無線機器。
【請求項６】
請求項１又は２に記載の無線機器であって、
前記コンデンサの容量は、前記クロック信号の高調波成分の中で少なくとも影像周波数帯域内の高調波成分を減衰させるよう設定されていることを特徴とする無線機器。
【請求項７】
請求項１乃至６のいずれか１項に記載の無線機器であって、
減衰させたい高調波成分毎に前記コンデンサの容量を選定し、複数個の前記コンデンサを配置することを特徴とする無線機器。
【発明の詳細な説明】
【０００１】
【発明の属する技術分野】
本発明は、基準クロック発生回路を他のＩＣ（集積回路）と共用する回路構成の無線機器に関し、特に、クロック信号の高調波成分を低減させることで受信感度特性等の劣化を防止するようにした無線機器に関する。
【０００２】
【従来の技術】
図５は従来の無線機器の要部ブロック構成であって、具体的には無線ＬＡＮカードの要部構成を示している。従来の無線機器１００は、高周波回路部を構成するＲＦ−ＩＣ（無線回路部集積回路）１１０と、ベースバンド処理回路を構成するＢＢ−ＩＣ（ベースバンド処理集積回路）１２０とから構成されている。ＲＦ−ＩＣ１１０にはアンテナ１３０が接続されている。無線機器１００は、例えば５ＧＨｚ（ギガヘルツ）帯の周波数を利用して、データの送受信を行うことができるようになっている。
【０００３】
ＲＦ−ＩＣ１１０は、基準クロックを発生するためのクロック発生回路１１１を内蔵している。クロック発生回路１１１には水晶振動子１４０が接続されている。クロック発生回路１１１で発生されたクロック信号は内部回路へ供給されるとともに、バッファ回路１１２を介してクロック出力端子１１３に出力される。
【０００４】
ＲＦ−ＩＣ１１０のクロック出力端子１１３とＢＢ−ＩＣ１２０のクロック入力端子１２１とはクロック信号ライン１５０で接続されている。ＢＢ−ＩＣ１２０は、ＲＦ−ＩＣ１１０側で発生したクロック信号の供給を受けて動作するようになっている。このようにクロック発生回路１１１を共用することで、回路規模及び部品点数の削減を図ることができる。
【０００５】
【発明が解決しようとする課題】
従来の無線機器は、クロック信号ライン１５０を介してクロック信号を供給しているので、クロック信号ライン１５０からクロック信号の高調波成分が輻射される。無線チャンネルの使用周波数帯域内にクロック信号の高調波成分があると、無線信号の信号対雑音比（Ｓ／Ｎ）が低下し、受信データのエラー率が高くなり、データ転送速度が低下する等の通信品質の低下につながることがある。
【０００６】
また、ＲＦ−ＩＣ１１０内の受信部（不図示）がスーパーヘテロダイン構成である場合、中間周波数帯域や影像（イメージ）周波数帯域内にクロック信号の高調波成分があると、信号対雑音比（Ｓ／Ｎ）が低下し、受信感度特性が劣化することがある。
【０００７】
本発明はこのような課題を解決するためになされたもので、無線機器の動作に悪影響を与えるクロック信号の高調波成分を低減させることで受信感度特性等の劣化を防止するようにした無線機器を提供することを目的とする。
【０００８】
【課題を解決するための手段】
上記目的は、クロック発生回路を内蔵したＩＣから他のＩＣへクロックを供給するためのクロック信号ラインを備えた無線機器であって、クロック信号ラインと基準電位ライン（例えばグランド）との間にコンデンサが接続されていることを特徴とする無線機器によって達成される。
【０００９】
クロック信号ラインと基準電位ライン（例えばグランド）との間にコンデンサを接続することで、クロック信号ラインから輻射されるクロック信号の高調波成分を低減させることができる。これにより、高調波成分によって無線機器の動作に悪影響が生ずることを低減できる。
【００１０】
なお、チップコンデンサを用いることで、チップコンデンサの自己インダクタンスと容量とからなる直列共振回路の共振を利用して、特定の周波数帯域の高調波成分を大きく減衰させることができる。
【００１１】
また、コンデンサの容量を選定することで、無線信号の受信に影響を与える周波数帯域の高調波成分を減衰させることができる。例えば、無線チャンネルの使用周波数帯域内の高調波成分を減衰させるようにコンデンサの容量を設定することで、送受信信号のＳ／Ｎを改善できる。受信部がヘテロダイン構成である場合には、中間周波数帯域内の高調波成分を減衰させるようにコンデンサの容量を設定し、また、影像周波数帯域内の高調波成分を減衰させるようコンデンサの容量を設定することで、受信感度特性の劣化を防止できる。
【００１２】
【発明の実施の形態】
本発明の一実施の形態による無線機器について図１乃至図４を用いて説明する。本実施の形態による無線機器の一例として無線ＬＡＮカードを用い、図１はその要部ブロック構成を示している。
【００１３】
図１に示す無線機器１は、高周波回路部を構成するＲＦ−ＩＣ（無線回路部集積回路）１０と、ベースバンド処理回路を構成するＢＢ−ＩＣ（ベースバンド処理集積回路）２０とから構成されている。ＲＦ−ＩＣ１０にはアンテナ３０が接続されている。無線機器１は、例えば５ＧＨｚ（ギガヘルツ）帯の周波数を利用して、データの送受信を行うことができるようになっている。
【００１４】
ＲＦ−ＩＣ１０は、基準クロックを発生するためのクロック発生回路１１を内蔵している。クロック発生回路１１には水晶振動子４０が接続されている。クロック発生回路１１で発生されたクロック信号は内部回路へ供給されるとともに、バッファ回路１２を介してクロック出力端子１３に出力される。
【００１５】
ＲＦ−ＩＣ１０のクロック出力端子１３とＢＢ−ＩＣ２０のクロック入力端子２１とはクロック信号ライン５０で接続されている。ＢＢ−ＩＣ２０は、ＲＦ−ＩＣ１０側で発生したクロック信号の供給を受けて動作するようになっている。
【００１６】
クロック信号ライン５０とグランド（ＧＮＤ）との間には、コンデンサ６０が接続されている。コンデンサ６０としては、チップコンデンサ（例えばチップセラミックコンデンサ）を用いることができる。
【００１７】
なお、クロック信号ライン５０と正極側電源（例えばＶＣＣ電源）との間にコンデンサ６０を設けるようにしてもよい。また、クロック信号ライン５０とグランド（ＧＮＤ）との間及びクロック信号ライン５０と正極側電源（例えばＶＣＣ電源）との間にそれぞれコンデンサ６０を接続するようにしてもよい。クロック信号ライン５０には、高調波成分の発生を低減させるためのダンピング用の抵抗やフェライト製のビーズ等が接続されていてもよい。
【００１８】
クロック信号ライン５０とグランド（ＧＮＤ）または正極側電源（例えばＶＣＣ電源）との間にコンデンサ６０を接続することで、クロック信号ライン５０から輻射されるクロック信号の高調波成分を低減させることができる。これにより、高調波成分によって無線機器の動作に悪影響が生ずることを低減できる。
【００１９】
図２はチップコンデンサの等価回路図である。図２に示すように、チップコンデンサは、高周波領域においては、コンデンサの端子形状や電極形状等によって決定される自己インダクタンスＬと容量Ｃとの直列回路で等価することができる。自己インダクタンスＬは、チップサイズによって主に決定される。このため、同一チップサイズであればコンデンサの容量値が異なっても、自己インダクタンスＬはそれほど変化しない。
【００２０】
クロック信号ライン５０とグランド（ＧＮＤ）または正極側電源（例えばＶＣＣ電源）との間にチップコンデンサを接続することで、自己インダクタンスＬと容量Ｃとの直列回路からなる直列共振回路を設けたことと等価となる。すなわち、上記自己インダクタンスＬと容量Ｃとの直列回路からなる直列共振回路の共振周波数で減衰量が最大となるトラップ型フィルタが、クロック信号ライン５０に接続されたことと等価になる。そして、チップコンデンサの容量値を適宜設定することによって、クロック信号の高調波成分の減衰量が大きくなる周波数範囲を調整することができる。
【００２１】
したがって、上記共振周波数が無線チャンネルの使用周波数帯域となるようにコンデンサの容量値を設定することで、クロック信号の高調波成分の中で無線チャンネルの使用周波数帯域の高調波成分を大きく減衰させることができる。これにより、無線送受信信号のＳ／Ｎを改善することができる。
【００２２】
また、受信部がスーパーヘテロダイン構成である場合には、上記共振周波数が中間周波数帯域となるようにコンデンサの容量値を設定することで、クロック信号の高調波成分の中で中間周波数帯域の高調波成分を大きく減衰させることができる。これにより、中間周波増幅段等にクロック信号の高調波成分が混入するのを防止し、良好な受信特性を確保することができる。同様に、上記共振周波数が影像（イメージ）周波数帯域となるようにコンデンサの容量値を設定することで、クロック信号の高調波成分の中で影像（イメージ）周波数帯域の高調波成分を大きく減衰させることができる。これにより、イメージ混信の発生を低減し、受信特性を良好なものとすることができる。
【００２３】
図３は本実施の形態による無線機器の他の構成例を示している。図３に示す無線機器１Ａは、クロック信号ライン５０に高調波成分の発生を低減させるためのダンピング用の抵抗７０を接続するとともに、クロック信号ライン５０に容量値の異なる複数（２つ）のコンデンサ６０，６１がそれぞれ接続されている。各コンデンサ６０，６１の容量値を異ならせることで、クロック信号の高調波成分を広い周波数範囲に亘って減衰させることができる。
【００２４】
図４は、図３に示す無線機器の変形例であって、減衰させたい高調波成分毎にコンデンサの容量を選定し、複数個のコンデンサを配置することを特徴としている。なお、図４では、ＲＦ−ＩＣ１０及びＢＢ−ＩＣ２０の図示は省略している。図４（ａ）は、クロック信号ライン５０での複数の高調波成分の発生を低減させるために、ダンピング用の抵抗７１を接続するとともに、クロック信号ライン５０に４つのコンデンサ６２，６３，６４，６５を接続した構成を示している。例えば、コンデンサ６２，６３には５ＧＨｚ帯の高調波成分を減衰させるために所定のピコ・ファラッド（ｐＦ）単位の容量のコンデンサを選定し、コンデンサ６４，６５には２．５ＧＨｚ帯の高調波成分を減衰させるために所定のｐＦ単位の容量のコンデンサを選定する。この構成によれば、例えば５ＧＨｚ帯の周波数を利用する無線機器と２．５ＧＨｚ帯の周波数を利用する無線機器とを組み合わせた無線装置に対して、５ＧＨｚと２．５ＧＨｚの双方の高調波成分を減衰させることができる。また、図４（ｂ）に示すように、ダンピング用の抵抗７２，７３を直列に接続するとともに、クロック信号ライン５０に４つのコンデンサ６６，６７，６８，６９を接続した構成にしても同様の効果を得ることができる。
【００２５】
本発明は、上記実施の形態に限らず種々の変形が可能である。
例えば、上記実施の形態では無線機器の一具体例としての無線ＬＡＮカードを用いたが、本発明はそれに限らず、携帯電話機や近距離無線通信装置等の各種の無線機器に適用することができる。
【００２６】
【発明の効果】
以上説明したように本発明の無線機器は、クロック信号ラインと基準電位ライン（例えばグランド）との間にコンデンサを接続したので、クロック信号ラインから輻射されるクロック信号の高調波成分を低減させることができる。これにより、高調波成分によって無線機器の動作に悪影響が生ずることを低減できる。
【図面の簡単な説明】
【図１】本発明の一実施の形態による無線機器としての無線ＬＡＮカードの要部ブロック構成図である。
【図２】チップコンデンサの等価回路図である。
【図３】本発明の一実施の形態による無線機器の他の実施例を示す図である。
【図４】図３に示す実施例の変形例を示す図である。
【図５】従来の無線機器の要部ブロック構成図である。
【符号の説明】
１，１Ａ　無線機器
１０　ＲＦ−ＩＣ（無線回路部集積回路）
１１　クロック発生回路
１２　バッファ回路
１３　クロック出力端子
２０　ＢＢ−ＩＣ（ベースバンド処理集積回路）
２１　クロック入力端子
３０　アンテナ
４０　水晶振動子
５０　クロック信号ライン
６０，６１　コンデンサ
７０　抵抗
Ｃ　容量
Ｌ　自己インダクタンス
【図１】
2004104281.tif 000003
【図２】
2004104281.tif 000004
【図３】
2004104281.tif 000005
【図４】
2004104281.tif 000006
【図５】
2004104281.tif 000007